(57)【特許請求の範囲】
【請求項１】
撮像素子で撮像した画像を表示する表示部と、
前記画像内の第１部分領域の画像および前記第１部分領域に対して前記撮像素子の一辺と平行な方向に離れた第２部分領域の画像を、前記平行な方向に並べて前記表示部に表示させる制御部と、を備える
画像表示装置。
【請求項２】
前記第２部分領域は、前記撮像素子の一辺と垂直な方向に対して、前記第１部分領域と対称な領域である
請求項１記載の画像表示装置。
【請求項３】
前記第１部分領域と前記第２部分領域とは、独立して移動可能である
請求項１又は請求項２に記載の画像表示装置。
【請求項４】
前記表示部は、前記第１部分領域の画像及び前記第２部分領域の画像を拡大して表示する
請求項１〜３の何れか一項に記載の画像表示装置。
【請求項５】
前記制御部は、前記第１部分領域及び前記第２部分領域を前記平行な方向に並べて表示する場合に、前記第１部分領域の画像と前記第２部分領域の画像に対して輪郭強調処理を施す
請求項１〜４の何れか一項に記載の画像表示装置。
【請求項６】
前記制御部は、前記第１部分領域及び前記第２部分領域を前記平行な方向に並べて表示する場合に、前記第１部分領域の画像と前記第２部分領域の画像に対してピーキング処理を施す
請求項１〜５の何れか一項に記載の画像表示装置。
【請求項７】
前記表示部は、前記第１部分領域内の第１位置と前記第２部分領域内の第２位置とを結ぶ直線を表示する
請求項１〜６の何れか一項に記載の画像表示装置。
【請求項８】
前記表示部は、前記第１位置と前記第２位置の何れか一方を通る水平線を表示する
請求項７に記載の画像表示装置。
【請求項９】
前記表示部は、前記直線と前記水平線とが成す角度を表示する
請求項８に記載の画像表示装置。
【発明の詳細な説明】
【技術分野】
【０００１】
本発明は、画像表示装置に関するものである。
【背景技術】
【０００２】
従来、姿勢センサにより計測した装置本体の傾斜角度を表示部に表示する撮像装置が知られている（例えば、特許文献１参照）。この撮像装置において、操作者は、表示部に表示された傾斜角度を視覚的に把握しながら撮像装置の傾斜角度を調整することができる。
【０００３】
また、この撮像装置においては、撮像された画像の画像データを傾斜方向と逆方向に回動させる画像処理を行うことにより、傾いていない画像を取得することも可能である。
【先行技術文献】
【特許文献】
【０００４】
【特許文献１】特開２００６−１６５９４１号公報
【発明の概要】
【発明が解決しようとする課題】
【０００５】
ところで、この撮像装置においては、姿勢センサにより計測された傾斜角度と実際の傾斜角度との間に誤差が生じた場合等において、正確に撮像装置の傾斜角度を調整できない場合がある。
【課題を解決するための手段】
【０００６】
本発明の画像表示装置は、撮像素子で撮像した画像を表示する表示部と、前記画像内の第１部分領域の画像および前記第１部分領域に対して前記撮像素子の一辺と平行な方向に離れた第２部分領域の画像を、前記平行な方向に並べて前記表示部に表示させる制御部と、を備える。
【図面の簡単な説明】
【０００７】
【図１】実施の形態に係るデジタルカメラの構成を示すブロック図である。
【図２】実施の形態に係るデジタルカメラのＬＣＤ表示部に表示されたライブビュー画像を示す図である。
【図３】実施の形態に係るデジタルカメラのＬＣＤ表示部に拡大表示される一部の領域を示す図である。
【図４】実施の形態に係るデジタルカメラにおいて一部の領域を左側に移動させた状態を示す図である。
【図５】実施の形態に係るデジタルカメラにおいて一部の領域を更に下側に移動させた状態を示す図である。
【図６】実施の形態に係るデジタルカメラにおける水平確認モードの処理を示すフローチャートである。
【図７】実施の形態に係るデジタルカメラの表示画面を左右に分割した状態を示す図である。
【図８】実施の形態に係るデジタルカメラのＬＣＤ表示部に拡大表示される第１部分領域、及び第２部分領域を示す図である。
【図９】実施の形態に係るデジタルカメラにおいて第１部分領域を左側に移動させ、かつ第２部分領域を右側に移動させた状態を示す図である。
【図１０】実施の形態に係るデジタルカメラにおいて第１部分領域、及び第２部分領域を更に下側に移動させた状態を示す図である。
【図１１】実施の形態に係るデジタルカメラの傾きに関する情報の表示処理を示すフローチャートである。
【図１２】実施の形態に係るライブビュー画像における基点位置及び測定位置を示す図である。
【図１３】実施の形態に係るデジタルカメラの表示画面に補助線、水平線を表示した状態を示す図である。
【図１４】実施の形態に係るデジタルカメラの表示画面にライブビュー画像を拡大表示した状態を示す図である。
【図１５】実施の形態に係るデジタルカメラにおいてピーキング処理を行った状態を示す図である。
【図１６】実施の形態に係るデジタルカメラの表示画面を４分割した状態を示す図である。
【図１７】実施の形態に係るデジタルカメラの表示画面を４分割した状態を示す図である。
【発明を実施するための形態】
【０００８】
以下、図面を参照して本発明の実施の形態に係るデジタルカメラについて説明する。図１は、実施の形態に係るデジタルカメラ２の構成を示すブロック図である。デジタルカメラ２は、ＣＰＵ４を備え、ＣＰＵ４には、操作部６、ＬＣＤ表示部８の表示制御を行う表示制御部１０、ＬＣＤ表示部８の表示画面が指等でタッチされたことを検出するタッチパネル１２、被写体光を撮像して撮像信号を生成する撮像素子１４、撮像素子１４からの撮像信号に基づく画像データを一時的に記憶する画像記憶部１６、デジタルカメラ２の傾斜角度を計測する加速度センサ１８、画像データに輪郭強調処理やピーキング処理等の画像処理を行う画像処理部２２、撮影された画像に含まれる形状を認識する形状認識部２３、及び画像データを記憶するメモリカード２６を装着するメモリカードスロット２８が接続されている。
【０００９】
ここで、操作部６には、電源ボタン（図示せず）、レリーズボタン（図示せず）、メニューボタン（図示せず）、ＬＣＤ表示部８に表示されたメニューの選択等を行うマルチセレクタ（図示せず）、ＬＣＤ表示部８に表示されているライブビュー画像の一部の領域を拡大して表示させる拡大ボタン（図示せず）、デジタルカメラ２の傾斜角度を測定する測定ボタン（図示せず）等が含まれている。なお、マルチセレクタは、右ボタン、左ボタン、上ボタン、下ボタン及びＯＫボタンの５つの操作領域から構成されている。
【００１０】
次に、実施の形態に係るデジタルカメラ２のＬＣＤ表示部８にライブビュー画像を拡大して表示する処理について、左右対称の形状を有する建物を撮影する場合を例に説明する。まず、操作者により、建物の中央正面において、デジタルカメラ２が図示しない三脚に固定される。次に、電源がオンにされると、ＣＰＵ４は、撮像素子１４によりライブビュー画像の撮影を開始する。
【００１１】
ライブビュー画像の撮影が開始されると、ＣＰＵ４は、撮像素子１４により撮像された建物の画像データを順次画像記憶部１６に記憶する。次に、画像記憶部１６から画像データを読み出し、図２に示すように、画像データに基づくライブビュー画像をＬＣＤ表示部８に表示する。
【００１２】
次に、操作者によりメニューボタンが操作されると、ＬＣＤ表示部８にメニュー画面が表示される。次に、マルチセレクタの操作により、メニューの中から「ライブビュー拡大」が選択されると、ＣＰＵ４は、「通常」、または「水平確認」の何れかを選択する選択画面をＬＣＤ表示部８に表示する。
【００１３】
ここで、「通常」が選択された場合、ＣＰＵ４は、ライブビュー画像を通常の方法で拡大表示する通常拡大モードに移行する。通常拡大モードにおいてＣＰＵ４は、拡大ボタンが操作される毎に、ライブビュー画像の一部の領域を段階的に拡大し、図３（ａ）に示す領域３０を図３（ｂ）に示すように、ＬＣＤ表示部８に拡大表示する。
【００１４】
次に、操作者がマルチセレクタの左ボタンを操作すると、ＣＰＵ４は、図４（ａ）に示すように、ＬＣＤ表示部８に拡大表示される領域３０の位置を順次左側に移動させ、図４（ｂ）に示すように、領域３０の拡大画像をＬＣＤ表示部８に表示する。
【００１５】
次に、操作者がマルチセレクタの下ボタンを操作すると、ＣＰＵ４は、図５（ａ）に示すように、ＬＣＤ表示部８に拡大表示される領域３０の位置を順次下側に移動させ、図５（ｂ）に示すように、領域３０の拡大画像をＬＣＤ表示部８に表示する。
【００１６】
次に、図６に示すフローチャートを参照して、実施の形態に係るデジタルカメラ２において、「水平確認」が選択された場合の処理を説明する。「水平確認」が選択された場合、ＣＰＵ４は、水平面に対するデジタルカメラ２の傾きを確認できるようにライブビュー画像を拡大表示する水平確認モードに移行し、ＬＣＤ表示部８の表示画面を左右の領域に分割する（ステップＳ１）。例えば、ＣＰＵ４は、図７に示すように、ＬＣＤ表示部８の上側縁部の中央８ａとＬＣＤ表示部８の下側縁部の中央８ｂとを結ぶ垂直線４０を分割の際の基準線として設定する。次に、表示画面を、垂直線４０よりも左側に位置する左領域４２と、垂直線４０よりも右側に位置する右領域４４とに分割する。
【００１７】
次に、ＣＰＵ４は、左領域４２、または右領域４４の何れか一方を、操作者による操作の対象となるアクティブ領域として指定する（ステップＳ２）。例えば、左領域４２が操作者によりタッチされた場合、ＣＰＵ４は、左領域４２をアクティブ領域として指定し、左領域４２の周囲に枠５０を表示する。
【００１８】
次に、拡大ボタンが操作されると、ＣＰＵ４は、図８（ａ）に示すように、まず、ライブビュー画像において、左領域４２（アクティブ領域）に拡大表示させる第１部分領域４６を決定する（ステップＳ３）。次に、ＣＰＵ４は、第１部分領域４６と垂直方向の位置が同一の位置であり、かつ垂直線４０を対称軸として第１部分領域４６と線対称となる領域を第２部分領域４８として決定する（ステップＳ４）。
【００１９】
次に、ＣＰＵ４は、画像記憶部１６に記憶されている画像データから第１部分領域４６の領域画像データを抽出する。そして、画像処理部２２により、領域画像データに対して輪郭強調処理を施した上で、図８（ｂ）に示すように、領域画像データに基づく第１部分領域４６のライブビュー画像を左領域４２に拡大して表示する（ステップＳ５）。
【００２０】
同様に、ＣＰＵ４は、画像記憶部１６に記憶されている画像データから第２部分領域４８の領域画像データを抽出して被写体の輪郭強調処理を施し、領域画像データに基づく第２部分領域４８のライブビュー画像を右領域４４に拡大して表示する。
【００２１】
なお、この時点において、左領域４２と右領域４４とは隣接しているため、左領域４２に画像と右領域４４の画像は、隣接部において連続した画像として見えるように表示される。また、隣接部において第１部分領域４６と第２部分領域４８とが重複することはない。
【００２２】
次に、操作者がマルチセレクタの左ボタンを操作すると、ＣＰＵ４は、図９（ａ）に示すように、ＬＣＤ表示部８に表示される領域である第１部分領域４６の位置を順次左側に移動させる（ステップＳ６）。一方、ＣＰＵ４は、垂直線４０を対称軸として第１部分領域４６と対称となる領域を逐次第２部分領域４８として指定し、ＬＣＤ表示部８に表示される領域である第２部分領域４８の位置を第１部分領域４６の位置の移動方向と反対方向である右側に移動させる（ステップＳ７）。
【００２３】
また、ＣＰＵ４は、第１部分領域４６、及び第２部分領域４８の位置をそれぞれ移動させながら、画像記憶部１６に記憶されている画像データから第１部分領域４６、及び第２部分領域４８の領域画像データを抽出し、図９（ｂ）に示すように、第１部分領域４６、及び第２部分領域４８のライブビュー画像をＬＣＤ表示部８に拡大して表示させる（ステップＳ８）。
【００２４】
即ち、左領域４２がアクティブ領域である場合に操作者がマルチセレクタの左ボタンを操作した場合、左領域４２に表示されている第１部分領域４６のライブビュー画像が左側に移動すると共に、右領域４４に表示されている第２部分領域４８のライブビュー画像が右側に移動する。
【００２５】
なお、マルチセレクタの上ボタンまたは下ボタンが操作された場合、第１部分領域４６、及び第２部分領域４８は、同一方向に移動する。例えば、更に操作者がマルチセレクタの下ボタンを操作した場合、ＣＰＵ４は、図１０（ａ）に示すように、第１部分領域４６、及び第２部分領域４８の位置をそれぞれ下側に移動させながら、図１０（ｂ）に示すように、第１部分領域４６、及び第２部分領域４８のライブビュー画像を左領域４２、右領域４４に拡大して表示させる。
【００２６】
これにより、操作者は、ＬＣＤ表示部８に表示される左領域４２と右領域４４のずれを視認し、傾いていない建物の画像を撮影できるか否かを的確に確認することができる。また、第１部分領域４６、及び第２部分領域４８にはそれぞれ輪郭強調処理が施され、建物の輪郭が明確に表示されるため、操作者は、左領域４２に表示された建物と右領域４４に表示された建物とがずれているか否かを的確に認識することができる。
【００２７】
次に、図１１に示すフローチャートを参照して、実施の形態に係るデジタルカメラ２の傾きに関する情報の表示処理について説明する。まず、操作者は、図９（ｂ）に示すように、第１部分領域４６、第２部分領域４８をそれぞれ左側、右側に移動させて建物の左角５２、右角５４をＬＣＤ表示部８に拡大して表示させる。次に、操作者が測定ボタンを操作すると、ＣＰＵ４は、「基点となる測定点の位置を指定してください」というメッセージをＬＣＤ表示部８に表示する。
【００２８】
次に、操作者がカーソル等の操作またはタッチ操作により建物の左角５２を指定すると、ＣＰＵ４は、左角５２をデジタルカメラ２の傾斜角度を算出する際の基点となる一方の測定点として特定する（ステップＳ１１）。次に、ＣＰＵ４は、「他の測定点の位置を指定してください」というメッセージをＬＣＤ表示部８に表示する。ここで、操作者がカーソル等の操作またはタッチ操作により建物の右角５４を指定すると、ＣＰＵ４は、右角５４を他方の測定点として特定する（ステップＳ１２）。
【００２９】
次に、ＣＰＵ４は、図１２（ａ）に示すように、一方の測定点である左角５２と他方の測定点である右角５４とを結ぶ補助線５８を生成する。ここで、デジタルカメラ２が傾いて三脚に固定されている場合、図１２（ｂ）に示すように、垂直線４０の位置で分断され、かつ傾斜した補助線５８がＬＣＤ表示部８に表示される（ステップＳ１３）。
【００３０】
次に、ＣＰＵ４は、図１３（ａ）に示すように、ＬＣＤ表示部８の上側縁部及び下側縁部と平行な水平線６０を左角５２上に重ねて表示させる（ステップＳ１４）。また、左領域４２に表示されている補助線５８ａを右側に延長させた延長線５８ｂを右領域４４に表示させる（ステップＳ１５）。
【００３１】
次に、ＣＰＵ４は、水平線６０と補助線５８ａとの間の角度αを算出する（ステップＳ１６）。まず、ＣＰＵ４は、撮像素子１４からの撮像信号に基づいて、図１３（ｂ）に示すように、左角５２と右角５４とを含むライン領域６２について全画素読み出しした画像データに基づいて、例えば、水平線６０上における左角５２から垂直線４０までの水平方向の画素数を算出し、垂直線４０上における水平線６０から補助線５８ａまでの高さ方向の画素数を算出する。そして、水平方向の画素数及び高さ方向の画素数とを用いて水平線６０と補助線５８ａとの間の角度αを算出し、算出した角度αを左角５２の近傍に表示する（ステップＳ１７）。
【００３２】
ここで、操作者は、ＬＣＤ表示部８に表示された水平線６０、補助線５８ａ、延長線５８ｂ、及び角度αを目視しながら、建物が水平に表示されるように、三脚に固定されているデジタルカメラ２の傾斜角度を調整する。例えば、補助線５８ａ及び延長線５８ｂが水平線６０と重なり、かつ角度αが０°になるようにデジタルカメラ２の傾斜角度を調整する。
【００３３】
本実施の形態に係るデジタルカメラ２によれば、ＬＣＤ表示部８の左領域４２と右領域４４にそれぞれ建物の角を含む領域のライブビュー画像を拡大表示させた状態で、水平線６０、補助線５８ａ、角度α等のデジタルカメラ２の傾きに関する情報を表示するため、操作者は的確に現在のデジタルカメラ２の傾斜角度を認識することができ、精度よくデジタルカメラ２の傾斜角度を調整することができる。また、画像の傾きを修正するための手段として画像データを回動させる画像処理を行わないため、操作者は高画質の画像を取得することができる。
【００３４】
また、水平線６０、補助線５８ａ、角度αをＬＣＤ表示部８に表示するため、操作者が、補助線５８ｃと水平線６０との間の角度β（図１３（ｂ）参照）を現在のデジタルカメラ２の傾斜角度と誤認することを防止することができる。これにより、操作者が傾斜角度をオーバーして調整しないようにすることができる。
【００３５】
また、デジタルカメラ２の傾きを測定する場合には、画像データの水平方向及び高さ方向の画素数を用いるため、高い精度で角度αを算出することができる。なお、画像データの横幅（水平方向）の画素数が４０００画素の場合、縦方向１画素分の傾斜角度は０°０´５１．５７´´である。
【００３６】
なお、上述の実施の形態において、垂直線４０の位置を操作者の操作により変更できるようにしてもよい。例えば、カーソル等の操作またはタッチ操作により、垂直線４０の位置を表示画面の右方向、または左方向に移動できるようにする。この場合、水平確認モードに移行した時点で垂直線４０の位置が所望の分割位置からずれていても、垂直線４０が所望の分割位置に位置するように調整することができる。
【００３７】
また、上述の実施の形態においては、第１部分領域４６の位置を左側に移動させた場合、垂直線４０を対称軸として第１部分領域４６と線対称となる領域を第２部分領域４８として指定しているが、他の方法により第２部分領域４８を指定してもよい。例えば、第１部分領域４６が指定された場合、ＣＰＵ４は、第１部分領域４６の画像データに建物の角の形状が含まれているか否かを判定する。ここで、建物の角の形状については、一般的に用いられるパターンマッチング等により検出する。
【００３８】
第１部分領域４６の画像データに建物の角の形状が含まれていた場合、ＣＰＵ４は、ライブビュー画像の画像データにおいて、垂直線４０の右側の領域に、第１部分領域４６に含まれる建物の角を左右反転させた形状が含まれているか否かを判定する。第１部分領域４６に含まれる建物の角を左右反転させた形状が含まれていた場合、ＣＰＵ４は、この形状を含む所定の領域を第２部分領域４８として指定し、指定した位置に第２部分領域４８の位置を移動させる。次に、ＣＰＵ４は、第２部分領域４８の拡大画像を右領域４４に拡大表示する。これにより、的確に建物の角の部分を左領域４２及び右領域４４に拡大表示させることができる。
【００３９】
また、第１部分領域４６と第２部分領域４８をそれぞれ独立して指定するようにしてもよい。例えば、アクティブ領域に表示される部分領域のみを移動させ、アクティブ領域に表示されていない部分領域は移動させないようにしてもよい。具体的には、上述の実施の形態において、操作者がマルチセレクタの左ボタンを操作し、左領域４２（アクティブ領域）に拡大表示されている第１部分領域４６のライブビュー画像を左側に移動させた場合、右領域４４（非アクティブ領域）に拡大表示されている第２部分領域４８のライブビュー画像は移動させないようにする。同様に、右領域４４がアクティブ領域とされ、右領域４４に拡大表示されている第２部分領域４８のライブビュー画像を右側に移動させた場合、左領域４２（非アクティブ領域）に拡大表示されている第１部分領域４６のライブビュー画像は移動させないようにする。
【００４０】
また、上述の実施の形態においては、操作者の操作により一方の測定点及び他方の測定点を指定する場合を例に説明しているが、ライブビュー画像に含まれる被写体の形状に基づいて一方の測定点及び他方の測定点を指定してもよい。例えば、ＣＰＵ４は、第１部分領域４６、及び第２部分領域４８の画像データからパターンマッチング等により建物の角の形状を検出する。そして、第１部分領域４６に含まれる建物の角の形状の位置を一方の測定点として選択し、第２部分領域４８に含まれる建物の角の形状の位置を他方の測定点として選択する。次に、ＣＰＵ４は、両測定点間結ぶ補助線５８を水平線６０と共に表示画面に表示し、更に水平線６０と補助線５８との間の角度αを表示画面に表示する。これにより、操作者は、複雑な操作を行うことなく、容易にデジタルカメラ２の傾斜角度を確認することができる。
【００４１】
また、パターンマッチング等により建物の角の形状を検出した場合、図１４（ａ）に示すように、建物の左角５２の位置がＬＣＤ表示部８の左上角７０の近傍に表示され、かつ建物の右角５４の位置がＬＣＤ表示部８の右上角７２の近傍に表示されるように、第１部分領域４６、第２部分領域４８の位置を移動させてもよい。また、図１４（ｂ）に示すように、建物の左角５２の位置、及び建物の右角５４の位置がそれぞれ垂直線４０の近傍に表示されるように、第１部分領域４６、第２部分領域４８の位置を移動させてもよい。これにより、操作者は、厳密に左領域４２と右領域４４のずれを確認することができる。
【００４２】
また、上述の実施の形態においては、画像処理部２２により、画像データに対して輪郭強調処理を施す場合を例に説明しているが、これに代えて、ピントが合っている輪郭の部分に彩色を施すピーキング処理を行うようにしてもよい。この場合、例えば、図１５（ａ）に示すように、左領域４２に表示されている第１部分領域４６のライブビュー画像には彩色が施されている一方で、右領域４４に表示されている第２部分領域４８のライブビュー画像には彩色が施されていない場合、操作者は、建物の右側にはピントが合っていないことを認識できる。従って、操作者は、図１５（ｂ）に示すように、デジタルカメラ２の位置が建物に正対していないことを確認でき、左領域４２、及び右領域４４に表示されたライブビュー画像に施された彩色を参照しながら、建物に正対する位置にデジタルカメラ２の位置を移動させることができる。
【００４３】
また、上述の実施の形態において、図９（ｂ）に示すように、第１部分領域４６、及び第２部分領域４８の拡大画像がＬＣＤ表示部８に表示された状態でレリーズボタンが押下された場合、建物全体の画像をＬＣＤ表示部８に所定の時間表示した後に、第１部分領域４６、及び第２部分領域４８の拡大画像を左領域４２、右領域４４にそれぞれ所定の時間表示してもよい。また、レリーズボタンが押下された場合に、第１部分領域４６、及び第２部分領域４８の拡大画像を左領域４２、右領域４４にそれぞれ所定の時間表示した後に建物全体の画像を表示してもよい。
【００４４】
また、上述の実施の形態の水平確認モードにおいて、ＬＣＤ表示部８の表示画面が左右の領域に分割された場合、右領域４４がアクティブ領域として指定されてもよい。この場合、右領域４４に枠５０が表示される（図７参照）。次に、拡大ボタンが操作されると、ＣＰＵ４は、右領域４４（アクティブ領域）に拡大表示させる第１部分領域を決定し、垂直線４０を対称軸として第１部分領域と線対称となる領域を第２部分領域として決定する。
【００４５】
次に、操作者がマルチセレクタの右ボタンを操作すると、右領域４４に表示されている第１部分領域のライブビュー画像が右側に移動すると共に、左領域４２に表示されている第２部分領域４８のライブビュー画像が左側に移動する。
【００４６】
尚、本件の実施の形態において第１部分領域および第２部分領域の選択、あるいは測定点の指定について建物の角の形状に基づくようにしたが、画像に含まれる被写体の色に基づいても良く、形状と色の双方に基づくようにしても良いことは言うまでもない。
【００４７】
また、上述の実施の形態において、ＬＣＤ表示部８の表示画面を更に上下に分割してもよい。例えば、図１６（ａ）に示すように、ＬＣＤ表示部８の表示画面を左上領域８２、右上領域８４、左下領域８６、及び右下領域８８に４分割する。そして、左上領域８２が操作者によりタッチされた場合、ＣＰＵ４は、左上領域８２をアクティブ領域として指定し、左上領域８２に枠５０を表示する。
【００４８】
次に、拡大ボタンが操作されると、ＣＰＵ４は、左上領域８２に拡大表示させる第１部分領域９２、右上領域８４に拡大表示させる第２部分領域９４、左下領域８６に拡大表示させる第３部分領域９６、及び右下領域８８に拡大表示させる第４部分領域９８をそれぞれ決定し、図１６（ｂ）に示すように、各部分領域のライブビュー画像を拡大表示する。
【００４９】
この場合、操作者がマルチセレクタの左ボタンを操作すると、ＣＰＵ４は、第１部分領域９２と共に第３部分領域９６を左側に移動させる。同時に、ＣＰＵ４は、第２部分領域９４と共に第４部分領域９８を右側に移動させる。
【００５０】
また、操作者がマルチセレクタの上ボタンを操作すると、ＣＰＵ４は、第１部分領域９２と共に第２部分領域９４を上側に移動させる。同時に、ＣＰＵ４は、第３部分領域９６と共に第４部分領域９８を下側に移動させる。
【００５１】
なお、この場合において、例えば、図１７に示すように、建物全体のライブビュー画像を右下領域８８に表示してもよい。これにより、操作者は、建物のどの部分が拡大表示されているのかを常に認識することができる。
【００５２】
また、上述の実施の形態において、測定ボタンが操作された場合に、領域画像データに対して施される輪郭強調処理の度合いを増加させるようにしてもよい。これにより、操作者は、ＬＣＤ表示部８に表示されている建物の角の位置を把握し易くなり、容易に一方の測定点と他方の測定点を指定することができる。
【符号の説明】
【００５３】
２…デジタルカメラ、４…ＣＰＵ、６…操作部、８…ＬＣＤ表示部、１２…タッチパネル、１４…撮像素子、２２…画像処理部、２３…形状認識部、２６…メモリカード
【図１】
0006589294.tif 000002
【図２】
0006589294.tif 000003
【図３】
0006589294.tif 000004
【図４】
0006589294.tif 000005
【図５】
0006589294.tif 000006
【図６】
0006589294.tif 000007
【図７】
0006589294.tif 000008
【図８】
0006589294.tif 000009
【図９】
0006589294.tif 000010
【図１０】
0006589294.tif 000011
【図１１】
0006589294.tif 000012
【図１２】
0006589294.tif 000013
【図１３】
0006589294.tif 000014
【図１４】
0006589294.tif 000015
【図１５】
0006589294.tif 000016
【図１６】
0006589294.tif 000017
【図１７】
0006589294.tif 000018